(57)【要約】      （修正有）【課題】簡便にかつ確実に詰まりを除去して排水管の管通しを行うことができかつ安価な通管用具を提供する。【解決手段】通管用具は詰まり１８を除去しようとする排水管１６の開口部１７へ先端部３が挿入される管体２と加圧液体を排水管１６へ導入する為に管体２に接続された導液管及び逆流防止用の逆止弁付き止水コック７と管体２の先端部３の外周に設けられた、合成ゴム９などの弾性体で構成されている。弾性体はドーナツ状のゴムリング９が両側からワッシャ５．６により挟持され外管体１２を解して蝶ナット１０で締め付けられる。これによってゴムリング９が径方向外周向きに弾性変形して拡径し排水管１６の内周面に密着して封栓する。【選択図】図−２
2011143393.tif 000002
【特許請求の範囲】
【発明の詳細な説明】
【技術分野】
【０００１】本発明は、排水管の詰まりを除去して排水管を貫通させる通管用具に関するものである。
【背景技術】
【０００２】  一般に、家庭などで排水管が詰まると、ワイヤを排水管に挿入して詰まりを除去するようにしている。ところが、このようにワイヤを用いると、ワイヤを引き抜くときに汚水が垂れて周囲を汚すことがある。また、ワイヤでは届く距離が決まっていて、しかも短い場合が多い。また、ワイヤは排水管の曲がりに弱く曲がり部分から先へ進まないことがある。このような要望に応える為、下記特許文献に開示の通管用具が開発されている。この通管用具は構成が複雑なことと使用されている袋体の耐久性に問題があり、又製造コストが高くつく問題がある。
【特許文献１】特開２００１−１４６７８２号広報
【発明の開示】
【発明が解決しようとする課題】
【０００３】  管の長いときや曲がりが複雑な排水管、及び、詰まり物の形状構成物に関係なく，通管でき、専門技術者でなくても一般家庭の人でも簡単に使用でき安価な通管用具の提供を目的とする。
【課題を解決するための手段】
【０００４】  上記目的を達成するために、本発明に係る通管用具は、管体の先端部の外周に設けられ、蝶ナットを締め込むことで管体径方向外向きに弾性変形して拡径して排水管の内周面に密着する弾性ゴム体を備えて成るものである。【０００５】  また、加圧液体を排水管内へ導入するための導水管が管体に接続されているものである。【０００６】  そして、本発明に係る通管方法は、前記したそれぞれの通管用具における管体を、詰まりを除去しようとする排水管の開口部に挿入し、蝶ナットの締め付けによって外管体を解して弾性体を拡径させ排水管の内周面に密着させて管体外周面と排水管内周面との隙間を封止したのち、導液管からの加圧液体を管体から排水管へ導入するものである。
【発明を実施するための最良の形態】
【０００７】  本発明の実施の形態を図面に基づいて詳しく説明する。図１は本発明の一実施形態に係る通管用具を示す構成図、図２は前記の通管用具を排水管に挿入した状態を示す要部断面図である。各図において、この実施形態に係る通管用具１は、逆流防止の逆止弁付き止水用コックとを備えている管体１は排水管１６の開口部１７へ挿入される先端部３を有している。開口８近傍に。逆支弁、逆支弁上端部は、それぞれ固定バンド１７、１７で固定されたホース１３及び蛇口１５を介して導液管１９と接続されている。【０００８】  管体２の先端部３の外周には蝶ナットの締め付けによって拡径させる弾性体９が固着されている。この弾性体９は例えば合成ゴムなどの弾性体で構成されている。そして管体２外周の先端部３近傍には拡径時のゴム体９が先端部３から抜け落ちないようにする為の抜け止め用ナット４が固執されている。【０００９】  引き続き、通管用具１による排水管１６の通管方法につき図２を用いて説明する。この場合において詰まり９を除去しようとする排水管１６に、管体２の先端部３を排水管１６の開口部１７に挿入する。そこで、蝶ナット１０を締め付け管体２の径方向外向きに拡径して排水管１６の内周面に密着する。このようにして管体２の外周面と排水管１６の内周面との隙間１７＠が密封される。【００１０】  続いて、コック７の流路を外界側に解放するとともに、蛇口１５を開けると導液管１９からの加圧液体Ｗ（ここでは例えば圧力が０．２ｋｇ／ｃｍ２程度の水道水を用いた）が管体２を経て排水管１６内に導入されそれに伴って排水管１６内の詰まり１８が矢印１１の方向に押し流されて除去される。【００１１】  この実施形態に係る通管用具１、及びこれを用いた通管方法は、排水管１６が深いところにあったとしても管体１２をもって排水管１６の開口部１７に管体２の先端部３挿入しさえすれば、後は地面２０上でコック７の開閉操作をするだけですむ。これにより、排水管１６の開口部１７が蝶ナットで拡径したゴム体９に封止されるとともに排水管１６内へ加圧液体Ｗが導入される。【００１２】従って、家庭において手軽に、迅速に、あるいは確実に、排水管１１６の管通しを行うことができる。また、排水管１６の開口部１７から詰まり１８までの距離が長い場合や、排水管１６に曲がり部分がある場合であっても、加圧液体Ｗが作動源となっているから、詰まり除去動作にはほとんど影響しない。【００１３】  尚、本発明の管体や構成に関して、それぞれの形状や連結状態は、上述した実地形態のものに限らない。一方、本発明の加圧液体としては、入手容易、安価、安全、後処理用意などの観点から水がもっとも好ましいが、水以外に例えば、植物油、グリセリン、エチレングリコールその他の液体を用いても構わない。
【発明の効果】
【００１４】  以上述べたように、本発明に係る通管用具及び通管方法によれば、深い位置の排水管でもその開口部に管体の先端部を挿入しゴム体を排水管に圧蜜し封止さえすれば、あとは地面上などで操作することができる。これにより、排水管内へ加圧液体を導入することができる。従って、家庭でも手軽、迅速、かつ、確実に排水管の管通しを行うことができる。また、排水管の開口部から詰まりまでの距離がいくぶんか長い場合や、排水管に曲がり部分がある場合であっても、加圧液体単独の作用、によって詰まりを除去することができる。
【図面の簡単な説明】
【００１５】
【図１】  本発明の一実地形態に係る通管用具を示す構成図である。
【図２】  前記の通管用具を排水管に挿入した状態を示す要部断面図である。
【図３】  前記の通管用具の正面図である。
【図４】  前記の通管用具の一部断面を含む右側面図である。
【図５】  前記の通管用具の左側面図である。
【図６】  前記の通管用具の要部断面図を示す。
【符号の説明】１      通管用具
２      管体
３      先端部
４      ナット
６      ワッシャ
７      逆支弁付き止水コック
８      管体導水口
９      ゴム体
１０    蝶ネジ
１１    矢印方向
１２    外管体
１３    ホース
１５    蛇口
１６    排水管
１７    開口部
１７ａ  隙間
１８    詰まり
１９    導液管
２０    地面
Ｗ      加圧液体
【図−１】
2011143393.tif 000003
【図−２】
2011143393.tif 000004
【図−３】
2011143393.tif 000005
【図−４】
2011143393.tif 000006
【図−５】
2011143393.tif 000007
【図−６】
2011143393.tif 000008
【手続補正書】
【提出日】平成22年3月19日(2010.3.19)
【手続補正２】
【補正対象書類名】特許請求の範囲
【補正対象項目名】全文
【補正方法】変更
【補正の内容】
【特許請求の範囲】
【請求項１】
管に捻じ込むナットは、内側と外側にねじ切りしてありそれらのねじの回転方向は逆に切ってある。また、このナットを締め付けるとナットは、スプリングワッシャで逆転しないように構成されている。スプリングワッシャは、管に固定されたナットによって支えられている。このような継ぎ手である。